(57)【要約】  【課題】  書籍群を透明な袋で包装する際に、効率よく作業を行えるようにすることを課題とする。  【解決手段】  表紙の形状が同じ複数の書籍が一セットとして販売される書籍群をまとめて包装する書籍群包装袋として、真直ぐな筒体であってこの筒体の長手方向に垂直な平面で切った面の内周の長さが一定な側面部と、この側面部の下端に連なる側面部を封止する底部と、前記側面部の上端に形成される開口部とからなる、前記内周の長さが前記書籍の表紙の外周の長さと略等しい、薄い透明な可撓性のシート体により形成される袋本体と、前記書籍群を前記側面部の長手方向に積み重ねるように前記袋本体内に入れた際に、書籍群の高さを測ることができるように前記袋本体の側面部に設けられる複数の基準目盛と、前記基準目盛のそれぞれに対応して、前記袋本体の側面部に設けられる、前記基準目盛のそれぞれとの対応が示された複数の切り取り線とを設ける。【選択図】  図３
2006264702.tif 000002
【特許請求の範囲】
【請求項１】
表紙の形状が同じ複数の書籍が一セットとして販売される書籍群をまとめて包装する袋であって、
真直ぐな筒体であってこの筒体の長手方向に垂直な平面で切った面の内周の長さが一定な側面部と、この側面部の下端に連なる側面部を封止する底部と、前記側面部の上端に形成される開口部とからなる、前記内周の長さが前記書籍の表紙の外周の長さと略等しい、薄い透明な可撓性のシート体により形成される袋本体と、
前記書籍群を前記側面部の長手方向に積み重ねるように前記袋本体内に入れた際に、書籍群の高さを測ることができるように前記袋本体の側面部に設けられる複数の基準目盛と、
前記基準目盛のそれぞれに対応して、前記袋本体の側面部に設けられる、前記基準目盛のそれぞれとの対応が示された複数の切り取り線群と
を有する書籍群包装袋。
【請求項２】
前記複数の切り取り線のそれぞれは、対応する基準目盛から前記表紙の短い辺の２分の１の長さだけ上方に形成される請求項１に記載の書籍包装袋。
【発明の詳細な説明】
【技術分野】
【０００１】
本発明は、複数冊を一セットとして販売される書籍群を包装するための袋に関する。
【背景技術】
【０００２】
古本屋などでは、全集や複数の巻に渡る書籍群などをセットとして販売することが一般的である。この際、商品の見栄えをよくするために透明のシートで包装することが広く行われているが、透明なシートを用いて包装をすると作業工程が多く熟練が必要であるために大変効率が悪い。これを解決する方法として、対象とする書籍の表紙が丁度入る大きさの開口形状を有する透明な長い袋の内部に書籍群を積み重ねて入れ、上方の余った部分を封止するために必要な長さだけ残して切り取り、上方部分を粘着テープなどで固定することで包装することが行われている。
【発明の開示】
【発明が解決しようとする課題】
【０００３】
ところで、上述のような袋を用いる場合において、上方部分をきれいに封止するためには、袋の余分な上方部分を切り取る長さが適切なものである必要がある。このために、従来では物差しを使用して必要な部分の長さを測ってから切り取っていた。しかし、これでは物差しを当てて測るという作業が生じてしまい、やはり、作業効率が低下してしまう。
そこで、本発明はこのような問題に鑑み、書籍群を袋で包装する際に、効率よく作業を行えるようにすることを課題とする。
【課題を解決するための手段】
【０００４】
上記課題を解決するために、本発明は次のような構成を有する。
請求項１に記載の発明は、表紙の形状が同じ複数の書籍が一セットとして販売される書籍群をまとめて包装する書籍群包装袋であり、真直ぐな筒体であってこの筒体の長手方向に垂直な平面で切った面の内周の長さが一定な側面部と、この側面部の下端に連なる側面部を封止する底部と、前記側面部の上端に形成される開口部とからなる、前記内周の長さが前記書籍の表紙の外周の長さと略等しい、薄い透明な可撓性のシート体により形成される袋本体と、前記書籍群を前記側面部の長手方向に積み重ねるように前記袋本体内に入れた際に、書籍群の高さを測ることができるように前記袋本体の側面部に設けられる複数の基準目盛と、前記基準目盛のそれぞれに対応して、前記袋本体の側面部に設けられる、前記基準目盛のそれぞれとの対応が示された複数の切り取り線とを有するものである。なお、書籍には漫画、雑誌が含まれる。
請求項２に記載の発明は、前記書籍包装袋において、前記複数の切り取り線のそれぞれは、対応する基準目盛から前記表紙の短い辺の２分の１の長さだけ上方に形成されるものである。
【発明の効果】
【０００５】
請求項１に記載の発明は、書籍群を前記側面部の長手方向に積み重ねるように袋本体内に入れた後に、基準目盛により書籍群の高さを見て、これに対応する切り取り線から袋本体の側面部を切断し、その後、書籍群から上方の側面部を折りたたんで粘着テープなど封止することで書籍群を包装する。切り取り線の位置が書籍群の高さを示す基準目盛に対応して決められているので、基準目盛と切り取り線の位置を所望のものに予め設定しておけば物差しで測る手間がなく効率よく書籍群の包装作業を行うことができる。
請求項２に記載の発明は、前記複数の切り取り線のそれぞれが、対応する基準目盛から包装する各書籍の表紙の短い辺の２分の１の長さだけ上方に形成されるものであるので、表紙の長い辺に隣接する両側面部の上方部分を書籍側へ折ると、両縁部同士が略一致することになるので、この部分を粘着テープで止めることで見栄えのよい包装を実現することができる。
【発明を実施するための最良の形態】
【０００６】
以下、本発明の実施形態について、図面を参照しながら説明する。
図１に本実施形態に係る書籍群包装袋Ｘの斜視図を示し、図２に書籍群包装袋Ｘを折りたたんだ状態における正面図を示す。書籍群包装袋Ｘは透明なポリエチレンにより形成される。書籍包装袋Ｘを構成する袋本体１０は、内周の長さがほぼ対象とする書籍の表紙の外周の長さに一致する筒体を、書籍の短い辺の幅を有する、対向する２側面を縦に真ん中から内側に谷折に折って下端を熱融着したものである。このように形成される袋本体１０は、真直ぐな筒体であってこの筒体の長手方向に垂直な平面で切った面の内周の長さが一定な側面部１１と、この側面部分の下端に連なる側面部を封止する底部１２と、前記側面部分の上端に形成される開口部１３とから形成されることになる。また、袋本体１０の正面から見た幅は対象とする書籍の長い辺とほぼ一致する。
さらに、袋本体１０の側面部１１には複数の基準目盛からなる基準目盛群２０と、各基準目盛に対応する複数の切り取り線からなる切り取り線群３０とが印刷により表記される。基準目盛群は開口１３に平行な複数の線分により形成され、それぞれの線分は５ｍｍ間隔に配列される。また、各基準目盛を構成する線分の横には異なる番号が表記されている。切り取り線群３０も開口１３に平行な複数の線分により形成される。各線分を構成する切り取り線は、それぞれが対応する基準目盛から対象とする書籍の表紙の短辺の長さだけ上方になるように設けられる。切り取り線を構成する線分の横には、それそれ対応する基準目盛と同じ番号が表記されている。
【０００７】
次に、以上のような構成を有する書籍群包装袋Ｘの使用方法について説明する。まず、図３に示すように対象とする書籍群Ａを袋本体１０内部に底部から積み重ねて入れる。袋本体１０の内周の長さは書籍群を構成する書籍の表紙の外周の長さとほぼ等しいのて、書籍群Ａを底部１２から袋本体１０内にほぼ隙間なく入れることができる。次に、書籍群Ａの高さ、即ち、最上部に位置する書籍の表紙面の位置と基準目盛郡２０の位置を比較し、基準目盛のどれに該当するかを判断する。この際、基準目盛と最上部の表紙面の位置が一致すれば、一致する基準目盛の番号を読み取り、一致せずに基準目盛の間に表紙面の位置が存在する場合は、下側の基準目盛の番号を読み取り、その基準目盛からの最上部の表紙面の位置までの長さを目算で測る。次に、読み取った番号が付されている切り取り線を探し出し、これに基づいて図４に示すように袋本体１０を開口１１に平行に切断する。即ち、基準目盛と最上部の表紙面の位置が一致していた場合には、探し出した番号が付された切り取り線の位置で袋本体１０を切断し、基準目盛と最上部の表紙面の位置が一致していなかった場合には、探し出した番号が付された切り取り線から目算した長さ分だけ上にずれた位置で袋本体１０を切断する。その後、図５に示すように最上部の表紙面より上方に位置する袋本体１０の側面部１１を折りたたみ、粘着テープで封止する。この際、基準目盛から対応する各切り取り線までの長さが対象とする書籍の表紙の短い辺の長さに一致しているので、図５に示すように折りたたんだ際に表紙の長い辺と平行になる、新たにできた開口の両縁が丁度一致することになり、見栄えのよい包装を実現することができる。
なお、ここでは、各基準目盛から対応する各切り取り線までの長さが対象とする書籍の表紙の短い辺の長さに一致するようにしているが、密閉度を上げたり、シール装置で封止するためにこの距離を長く取る等、想定される封止方法に応じて、この長さは任意に設定することができる。
【図面の簡単な説明】
【０００８】
【図１】実施形態に係る書籍群包装袋の斜視図である。
【図２】実施形態に係る書籍群包装袋の折りたたんだ状態における正面図である。
【図３】書籍群包装袋に書籍群を入れた状態を示す斜視図である。
【図４】書籍群包装袋の側面部を切断した状態を示す斜視図である。
【図５】書籍群包装袋により書籍を包装した状態を示す斜視図である。
【符号の説明】
【０００９】
Ｘ      書籍群包装袋
１０    袋本体
１１    側面部
１２    開口部
１３    底部
２０    基準線群
３０    切り取り線群
【図１】
2006264702.tif 000003
【図２】
2006264702.tif 000004
【図３】
2006264702.tif 000005
【図４】
2006264702.tif 000006
【図５】
2006264702.tif 000007